(57)【要約】【課題】光源をリフレクタに対して所定の位置に配置する作業性を向上させる。【解決手段】リフレクタ３０は、光源１０から出射された光を所定の方向へ反射する。光源１０を支持するハウジング２０が第１支持部４１に装着されることにより、光源１０がリフレクタ３０に対して所定の位置に配置される。第１バスバー９１は、一端がハウジング２０内で光源１０と電気的に接続されている。第２バスバー９２は、外部電源と電気的に接続可能とされている。第１コネクタ５０は、ハウジング２０の外側において第１バスバー９１の他端を支持している。第２コネクタ６０は、第２バスバー９２と電気的に接続されている。ハウジング２０が第１支持部４１に装着されるとともに、第１コネクタ５０と第２コネクタ６０が嵌合し、第１バスバー９１と第２バスバー９２が電気的に接続される。【選択図】図２
2015050102.tif 000002
【特許請求の範囲】
【請求項１】
車両に搭載される灯具であって、
光源と、
前記光源から出射された光を所定の方向へ反射するリフレクタと、
前記光源を支持するハウジングと、
前記ハウジングが第１方向に装着されることにより、前記光源が前記リフレクタに対して所定の位置に配置される装着部と、
一端が前記ハウジング内で前記光源と電気的に接続された第１給電路と、
外部電源と電気的に接続可能とされた第２給電路と、
前記ハウジングの外側において前記第１給電路の他端を支持する第１コネクタと、
前記第２給電路と電気的に接続された第２コネクタとを備え、
前記ハウジングが前記装着部に装着されるとともに、前記第１コネクタと前記第２コネクタが嵌合し、前記第１給電路と前記第２給電路が電気的に接続される、灯具。
【請求項２】
前記第１コネクタは前記ハウジングと一体構造をなしている、請求項１に記載の灯具。
【請求項３】
前記第２コネクタは、前記第１方向、および当該第１方向と交差する第２方向の少なくとも一方に変位可能とされている、請求項１または２に記載の灯具。
【請求項４】
前記リフレクタと前記第２コネクタを支持するブラケットを備え、
前記装着部は、前記ブラケットに設けられている、請求項１から３のいずれか一項に記載の灯具。
【請求項５】
前記ブラケットに支持されるとともに、他の電装部品への第３給電路と接続された第３コネクタを備え、
前記第２給電路は、前記ブラケット上を延びて前記第３コネクタと接続されている、請求項４に記載の灯具。
【発明の詳細な説明】
【技術分野】
【０００１】
本発明は、車両に搭載される灯具に関する。
【背景技術】
【０００２】
この種の灯具として、光源から出射された光を所定の方向へ反射するリフレクタを備えたものが知られている。光源を支持するハウジングをリフレクタ側に設けられた装着部に装着することにより、光源はリフレクタに対して所定の位置に配置される（例えば、特許文献１を参照）。
【先行技術文献】
【特許文献】
【０００３】
【特許文献１】特許第５１８６４７３号公報
【発明の概要】
【発明が解決しようとする課題】
【０００４】
特許文献１に記載の構成においては、光源への給電を行なう電線が、ハウジングの装着部への装着方向について後端部側から引き出される。ハウジングの装着部への装着作業の際に当該電線がハウジングと装着部の間に噛み込まれるおそれがあり、作業性が低下する一因となりうる。
【０００５】
よって本発明は、光源をリフレクタに対して所定の位置に配置する作業性を向上させる技術を提供することを目的とする。
【課題を解決するための手段】
【０００６】
上記の目標を達成するために、本発明がとりうる一態様は、車両に搭載される灯具であって、
光源と、
前記光源から出射された光を所定の方向へ反射するリフレクタと、
前記光源を支持するハウジングと、
前記ハウジングが第１方向に装着されることにより、前記光源が前記リフレクタに対して所定の位置に配置される装着部と、
一端が前記ハウジング内で前記光源と電気的に接続された第１給電路と、
外部電源と電気的に接続可能とされた第２給電路と、
前記ハウジングの外側において前記第１給電路の他端を支持する第１コネクタと、
前記第２給電路と電気的に接続された第２コネクタとを備え、
前記ハウジングが前記装着部に装着されるとともに、前記第１コネクタと前記第２コネクタが嵌合し、前記第１給電路と前記第２給電路が電気的に接続される。
【０００７】
このような構成によれば、光源を支持するハウジングを装着部に装着すると同時に、第１コネクタと第２コネクタの嵌合を通じて外部電源から光源への給電路の確保が行なわれるため、作業性が大幅に向上する。かつ第１給電路の一端はハウジング内で光源と電気的に接続されており、他端はハウジングの外側で第１コネクタに支持されているため、両者の間に位置する部分に余長部分が発生することを抑制できる。これにより余長部分がハウジングと装着部の間に噛み込まれることを防止できる。給電路の噛み込みに配慮する必要がないため、作業性がさらに向上する。
【０００８】
前記第１コネクタは、前記ハウジングと一体構造をなしている構成としてもよい。なおここで言う「一体構造」とは、一体成型などによるモノリシックな構造と、別部品を組み合わせることにより一体とされた構造の双方を含む意味である。
【０００９】
このような構成によれば、第１給電路の長さを最小限とすることができる。そのため、当該部分がハウジングと装着部の間に噛み込まれることをさらに確実に防止できる。また第１コネクタがハウジングとモノリシックな構造をなす場合は、部品点数を削減できる。
【００１０】
前記第２コネクタは、前記第１方向、および当該第１方向と交差する第２方向の少なくとも一方に変位可能とされている構成としてもよい。
【００１１】
このような構成によれば、第１コネクタと第２コネクタの間で調芯が行なわれ、両者の嵌合が円滑に進行する。これにより作業性をさらに向上させることができる。
【００１２】
前記リフレクタと前記第２コネクタを支持するブラケットを備え、前記装着部は、前記ブラケットに設けられている構成としてもよい。
【００１３】
このような構成によれば、装着部や第２コネクタを支持するための構造をリフレクタの側に設ける必要がないため、リフレクタを小型化することが可能である。
【００１４】
前記ブラケットに支持されるとともに、他の電装部品への第３給電路と接続された第３コネクタを備え、前記第２給電路は、前記ブラケット上を延びて前記第３コネクタと接続されている構成としてもよい。
【００１５】
このような構成によれば、他の電装部品と接続された第３コネクタを、外部電源から光源への給電に利用できる。第２給電路はブラケット上を延びているため、第２コネクタと第３コネクタの間に形成される給電路が、組立作業の際に邪魔とならない。
【図面の簡単な説明】
【００１６】
【図１】本発明の一実施形態に係る灯具ユニットを後方から見た斜視図である。
【図２】図１における線II−IIに沿う断面図である。
【図３】灯具ユニットが備える光源を装着する前の状態を示す断面図である。
【図４】灯具ユニットが備える第２コネクタを支持する構造を示す斜視図である。
【発明を実施するための形態】
【００１７】
添付の図面を参照しつつ本発明に係る実施形態の例について以下詳細に説明する。なお以下の説明に用いる各図面では、各部材を認識可能な大きさとするために縮尺を適宜変更している。
【００１８】
図１は、車両に搭載される灯具の一例としての灯具ユニット１を後方から見た斜視図である。図２は、図１における線II−IIに沿う断面形状を模式的に示している。灯具ユニット１は、例えば車両の前部に搭載され、前照灯装置の一部を構成する。灯具ユニット１は、光源１０、ハウジング２０、リフレクタ３０、ブラケット４０、第１コネクタ５０、第２コネクタ６０、第３コネクタ７０、およびアクチュエータ８０を備えている。
【００１９】
図２に示すように、光源１０は、例えばハロゲンランプのようなバルブ光源である。リフレクタ３０は、光源１０から出射された光を所定の方向へ反射するように形成された反射面３１を有している。反射面３１により反射された光が進む側を灯具ユニット１の前方とし、これと逆側を灯具ユニット１の後方とする。反射面３１により反射された光は、灯具ユニット１の前方における所定の領域を照明する。
【００２０】
ブラケット４０は、ハウジング２０、第２コネクタ６０、第３コネクタ７０、およびアクチュエータ８０を、前照灯装置内における所定の位置に支持するための部材である。ブラケット４０は、樹脂などの絶縁性を有する材料からなる。図１に示すように、ブラケット４０は、第１支持部４１、第２支持部４２、第３支持部４３、第４支持部４４、第１接続部４５、第２接続部４６、および第３接続部４７を備えている。
【００２１】
第１支持部４１は、ハウジング２０を支持する部分である。第２支持部４２は、第２コネクタ６０を支持する部分である。第３支持部４３は、第３コネクタ７０を支持する部分である。第４支持部４４は、アクチュエータ８０を支持する部分である。第１接続部４５は、第１支持部４１と第３支持部４３を接続するように延びる部分である。第２接続部４６は、第３支持部４３と第４支持部４４を接続するように延びる部分である。第３接続部４７は、第１支持部４１と第４支持部４４を接続するように延びる部分である。
【００２２】
図１と図２に示すように、第１支持部４１は、基部４１ａ、受容部４１ｂ、係合部４１ｃ、嵌合部４１ｄ、貫通孔４１ｅを備えている。受容部４１ｂは、基部４１ａの後面より後方に延びる壁により区画されている。係合部４１ｃは、基部４１ａの後面に設けられ、前後方向に延びる係合孔４１ｃ１を有している。嵌合部４１ｄは、基部４１ａの前面に設けられ、リフレクタ３０に形成された開口３２と嵌合される。貫通孔４１ｅは、受容部４１ｂ内から基部４１ａと嵌合部４１ｄを貫通するように延びる。
【００２３】
第２支持部４２は、第１支持部４１の基部４１ａと一体に形成されている。第２支持部４２は、受容部４２ａを区画する壁部４２ｂを有している。壁部４２ｂの一部には、前後方向に延びる係合孔４２ｂ１が形成されている。
【００２４】
ハウジング２０は、光源支持部２１と係合部２２を有している。光源支持部２１は光源１０を支持する部分である（図２参照）。係合部２２は、光源支持部２１の外周部に設けられ、前後方向と交差する向きに撓み変形可能とされている。係合部２２は、係合爪２２ａを有している。
【００２５】
図３は、ハウジング２０がブラケット４０の第１支持部４１に装着される前の状態を示している。ハウジング２０の光源支持部２１に支持された光源１０が第１支持部４１の貫通孔４１ｅを挿通するように、ハウジング２０がブラケット４０に後方から前方（矢印Ｂ方向）へ装着される。
【００２６】
ハウジング２０の前方への移動に伴い、図１に示すように、光源支持部２１の一部が第１支持部４１の受容部４１ｂに収容され、係合爪２２ａが第１支持部４１の係合部４１ｃに形成された係合孔４１ｃ１と係合する。これによりハウジング２０は、ブラケット４０に対して装着される。
【００２７】
第１コネクタ５０は、ハウジング２０の外側に設けられ、嵌合部５１と接続部５２を有している。嵌合部５１は、矢印Ｂ方向と平行な向きに延びている。接続部５２は、嵌合部５１の後端とハウジング２０の光源支持部２１の外周面を一体に接続する部分である。
【００２８】
灯具ユニット１は、さらに第１バスバー９１を備えている。第１バスバー９１は、金属などの導電性を有する材料からなる。図３に示すように、第１バスバー９１は、第１部分９１ａ、第２部分９１ｂ、および第３部分９１ｃを有している。
【００２９】
第１バスバー９１の第１部分９１ａは、第１コネクタ５０の嵌合部５１内を矢印Ｂ方向と平行な向きに延びている。第１部分９１ａは、ハウジング２０の光源支持部２１の後端部よりも前方に配置されている。第１部分９１ａの前端部は、嵌合部５１の前端部において露出している。
【００３０】
第１バスバー９１の第２部分９１ｂは、光源支持部２１内をその後端部から前方に延びている。第２部分９１ｂの前端部は、光源支持部２１内に形成された端子収容部２１ａ内に露出している。
【００３１】
光源１０の後端部には、給電端子１１が設けられている。給電端子１１は、金属などの導電性を有する材料からなる。光源１０は、ハウジング２０に対して交換などのために着脱可能とされている。光源１０がハウジング２０に装着されると、給電端子１１が端子収容部２１ａ内に収容されるとともに、第１バスバー９１の第２部分９１ｂと物理的および電気的に接続される。
【００３２】
第１バスバー９１の第３部分９１ｃは、第１部分９１ａの後端と第２部分９１ｂの後端を接続する部分である。第３部分９１ｃは、第１コネクタ５０の接続部５２およびハウジング２０の光源支持部２１の外面に沿って階段状に延びている。
【００３３】
図１に示すように、ブラケット４０の第２支持部４２には、第２コネクタ６０が支持されている。図４は、当該部分を拡大して示す斜視図である。第２コネクタ６０は、樹脂などの絶縁性を有する材料からなり、本体部６１、鍔部６２、嵌合部６３、および一対の係合腕６４を備えている。
【００３４】
鍔部６２は、本体部６１の後端部より側方に延びている。嵌合部６３は、本体部６１により区画される空間であり、鍔部６２の後面に開口している。一対の係合腕６４は、それぞれ本体部６１の側面より片持ち梁状に延びる部材であり、先端部に係合爪６４ａが形成されている。各係合腕６４は、本体部６１側に撓み変形可能とされている。係合爪６４ａは、前後方向に略直交する後端面６４ａ１と、前後方向に対して傾斜して延びる前端面６４ａ２を有している。
【００３５】
図４に示すように第２コネクタ６０を第２支持部４２の受容部４２ａに装着すると、係合爪６４ａが、壁部４２ｂに形成された係合孔４２ｂ１と係合する。この状態において、係合爪６４ａの後端面６４ａ１および前端面６４ａ２は、それぞれ係合孔４２ｂ１の後端縁および前端縁と当接する。また鍔部６２の前端面と壁部４２ｂの後端面は、僅かな隙間を介して対向する。
【００３６】
図１に示すように、灯具ユニット１は、さらに第２バスバー９２を備えている。第２バスバー９２は、金属などの導電性を有する材料からなる。図２に示すように、第２バスバー９２の一端９２ａは、第２受容部４２ａ内に露出している。また、第２コネクタ６０の本体部６１内には、金属などの導電性を有する材料からなる接続端子６５が配置されている。第２コネクタ６０が第２支持部４２に装着されることにより、接続端子６５と第２バスバー９２の一端９２ａが物理的および電気的に接続される。
【００３７】
図１に示すように、第２バスバー９２は、ブラケット４０の第１支持部４１と第１接続部４５に沿って延び、その他端は第３コネクタ７０と電気的に接続されている。第３コネクタ７０は、外部電源からの給電端子を有している。
【００３８】
灯具ユニット１は、さらに第３バスバー９３を備えている。第３バスバー９３は、金属などの導電性を有する材料からなる。第３バスバー９３の一端は、第３コネクタ７０と電気的に接続されている。第３バスバー９３は、ブラケット４０の第２接続部４６に沿って延びている。第３バスバー９３の他端は、第４支持部４４に支持されたアクチュエータ８０が備える給電端子と電気的に接続されている。すなわち第３コネクタ７０は、アクチュエータ８０への給電端子も有している。
【００３９】
アクチュエータ８０は、本体部８１とロッド８２を備えている。ロッド８２は、第３バスバー９３を介して供給される信号に応じて、本体部８１に対して進退可能とされている。ロッド８２の先端は、図示しない前照灯装置のハウジングの一部に固定されている。ロッド８２が進退することにより、ブラケット４０を介してリフレクタ３０が変位し、当該前照灯装置のハウジングに対して光源１０の光軸Ａ（図２参照）の向きを変更できる。
【００４０】
次に、図３に示す状態からハウジング２０に支持された光源１０を、リフレクタ３０に対して所定の位置に配置する作業について説明する。所定の位置とは、光源１０から出射され、反射面３１により反射された光が所望の配光状態を形成しうる位置を意味する。
【００４１】
ハウジング２０の光源支持部２１に支持された光源１０が第１支持部４１の貫通孔４１ｅを挿通するように、ハウジング２０がブラケット４０に矢印Ｂ方向に装着される。ハウジング２０の装着方向への移動に伴い、図２に示すように、光源支持部２１の一部が第１支持部４１の受容部４１ｂに収容される。このとき、第１コネクタ５０が第２コネクタ６０と嵌合する。具体的には、第１コネクタ５０の嵌合部５１が第２コネクタ６０の嵌合部６３に挿入される。これにより、第１バスバー９１の第１部分９１ａと第２コネクタ６０の接続端子６５が物理的および電気的に接続される。
【００４２】
前述のように、接続端子６５は、第２バスバー９２の一端９２ａと電気的に接続されているため、第３コネクタ７０に設けられた給電端子から、第２バスバー９２、接続端子６５、および第１バスバー９１を経由して光源１０に至る給電経路が形成される。第３コネクタ７０には、外部電源と接続された図示しない相手側コネクタが接続され、光源１０およびアクチュエータ８０への給電が行なわれる。
【００４３】
第１コネクタ５０の嵌合部５１が第２コネクタ６０の嵌合部６３に挿入されるに際し、第２コネクタ６０は、ハウジング２０がブラケット４０に装着される向き（矢印Ｂ方向）および当該方向と交差する向きに変位可能とされている。具体的な動きについて図４を参照しつつ説明する。
【００４４】
前述のように、第２コネクタ６０の鍔部６２の前端面とブラケット４０の壁部４２ｂの後端面は、僅かな隙間を介して対向している。このとき各係合腕６４に設けられた係合爪６４ａの後端面６４ａ１および前端面６４ａ２は、それぞれ係合孔４２ｂ１の後端縁および前端縁と当接している。
【００４５】
ここで第１コネクタ５０の嵌合部５１が第２コネクタ６０の嵌合部６３へ矢印Ｂ方向に挿入されると、嵌合圧によって係合孔４２ｂ１の前端縁が係合爪６４ａの傾斜した前端面６４ａ２上を摺動し、係合腕６４を本体部６１側に撓ませる。これにより、鍔部６２の前端面と壁部４２ｂの後端面が当接するまで、第２コネクタ６０の矢印Ｂ方向への変位が許容される。また係合腕６４が本体部６１側に撓み変形可能とされているため、第２コネクタ６０は、矢印Ｂ方向と交差する矢印Ｃ方向への変位が許容される。
【００４６】
したがって、嵌合圧が吸収されるとともに、嵌合部５１と嵌合部６３の間で調芯が行なわれ、第１コネクタ５０と第２コネクタ６０の嵌合が円滑になされる。嵌合が終了すると、係合腕６４の弾性復帰力により、第２コネクタ６０は図４に示す元の位置に復帰する。
【００４７】
図２を参照して説明したように、本実施形態に係る灯具ユニット１においては、第１バスバー９１の第２部分９１ｂ（第１給電路の一端の一例）が、ハウジング２０内で光源１０と電気的に接続されている。一方、第１コネクタ５０が、ハウジング２０の外側において第１バスバー９１の第１部分９１ａ（第１給電路の他端の一例）を支持している。ハウジング２０がブラケット４０の第１支持部４１（装着部の一例）に対して矢印Ｂ方向（図３参照：第１方向の一例）に装着されると、第１コネクタ５０と第２コネクタ６０が嵌合する。第２コネクタ６０は、外部電源と電気的に接続可能とされた第２バスバー９２（第２給電路の一例）と電気的に接続されているため、第１コネクタ５０と第２コネクタ６０の嵌合により、第１バスバー９１と第２バスバー９２が電気的に接続される。
【００４８】
このような構成によれば、光源１０を支持するハウジング２０をブラケット４０の第１支持部４１に装着すると同時に、第１コネクタ５０と第２コネクタ６０の嵌合を通じて外部電源から光源１０への給電路の確保が行なわれるため、作業性が大幅に向上する。かつ第１バスバー９１の一端はハウジング２０内で光源１０と電気的に接続されており、他端はハウジング２０の外側で第１コネクタ５０に支持されているため、両者の間に位置する部分に余長部分が発生することを抑制できる。これにより余長部分がハウジング２０と第１支持部４１の間に噛み込まれることを防止できる。給電路の噛み込みに配慮する必要がないため、作業性がさらに向上する。
【００４９】
すなわち、第１コネクタ５０と第２コネクタ６０の配置は、ハウジング２０が第１支持部４１に装着されるとともに両者が嵌合し、第１バスバー９１と第２バスバー９２が電気的に接続される限りにおいて、適宜に定められうる。
【００５０】
本実施形態に係る灯具ユニット１においては、第１コネクタ５０がハウジング２０と一体構造をなしている。なおここで言う「一体構造」とは、一体成型によるモノリシックな構造と、別部品を組み合わせることにより一体とされた構造の双方を含む意味である。
【００５１】
このような構成によれば、給電路の光源１０と第１コネクタ５０の間に位置する部分の長さを最小限とすることができる。そのため、当該部分がハウジング２０と第１支持部４１の間に噛み込まれることをさらに確実に防止できる。また第１コネクタ５０がハウジング２０とモノリシックな構造をなす場合は、部品点数を削減できる。
【００５２】
本実施形態においては、光源１０への給電路を第１バスバー９１により実現している。しかしながら、少なくとも第３部分９１ｃについては、電線に置き換えてもよい。第１部分９１ａと第２部分９１ｂの間に位置する第３部分９１ｃの長さを最小限にできるため、電線を用いてもハウジング２０と第１支持部４１の間に噛み込まれることを防止できる。
【００５３】
図４を参照して説明したように、本実施形態に係る灯具ユニット１においては、第２コネクタ６０が、矢印Ｂ方向と矢印Ｃ方向（第２方向の一例）に変位可能とされている。
【００５４】
このような構成によれば、第１コネクタ５０と第２コネクタ６０の間で調芯が行なわれ、両者の嵌合が円滑に進行する。これにより作業性をさらに向上させることができる。
【００５５】
上記の実施形態においては、第２コネクタ６０が矢印Ｂ方向と矢印Ｃ方向の双方に変位可能とされている。しかしながら、両方向の少なくとも一方について変位可能な構成としてもよい。
【００５６】
本実施形態に係る灯具ユニット１は、リフレクタ３０と第２コネクタ６０を支持するブラケット４０を備えている。ハウジング２０は、ブラケット４０が備える第１支持部４１に装着される。
【００５７】
このような構成によれば、ハウジング２０が装着される装着部や第２コネクタ６０を支持するための構造をリフレクタ３０の側に設ける必要がないため、リフレクタ３０を小型化することが可能である。
【００５８】
換言すると、ハウジング２０が装着される装着部、および第２コネクタ６０を支持するための構造（第２支持部４２に対応する構造）の少なくとも一方は、リフレクタ３０の側に設けてもよい。この場合、部品点数を削減することができる。その際の条件は、ハウジング２０の装着部への装着とともに第１コネクタ５０と第２コネクタ６０の嵌合がなされるように各部品が配置されることである。
【００５９】
本実施形態に係る灯具ユニット１においては、アクチュエータ８０（他の電装部品の一例）へ給電を行なう第３バスバー９３（第３給電路の一例）と接続された第３コネクタ７０が、ブラケット４０に支持されている。上記の第２バスバー９２は、ブラケット４０上を延びて第３コネクタ７０と接続されている。
【００６０】
このような構成によれば、他の電装部品と接続された第３コネクタ７０を、外部電源から光源１０への給電に利用できる。第２バスバー９２はブラケット４０上を延びているため、第２コネクタ６０と第３コネクタ７０の間に形成される給電路が、組立作業の際に邪魔とならない。
【００６１】
上記の実施形態においては、第２給電路と第３給電路の一例として、第２バスバー９２と第３バスバー９３を用いている。しかしながら、必要に応じてこれらを電線で置き換えてもよい。ブラケット４０上を延びている限りにおいて、電線を用いても組立作業の邪魔になることはない。
【００６２】
上記の実施形態においては、光源１０とアクチュエータ８０に給電を行なうために第３コネクタ７０を共用している。しかしながら、光源１０以外の給電対象は、アクチュエータ８０に限られるものではない。アクチュエータ８０に加えて、あるいは代えて、モータや他の光源などの電装部品を、必要に応じて給電対象とできる。換言すると、灯具ユニット１が装備される前照灯装置にそのような電装部品が存在しない場合、必ずしも第３コネクタを設けることを要しない。
【００６３】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００６４】
光源１０は、バルブ光源に限られるものではない。ハウジング２０内に適宜の構成を設けることにより、ＨＩＤ（High Intensity Discharge）光源で置き換えてもよい。
【００６５】
灯具ユニット１が搭載される照明装置は、前照灯装置に限られるものではない。光源１０から出射された光が、リフレクタ３０により反射される限りにおいて、上記の灯具ユニット１は、適宜の車両用照明装置に搭載されうる。すなわち灯具ユニット１の前方が、車両の前方と一致していることを要しない。
【符号の説明】
【００６６】
１：灯具ユニット、１０：光源、２０：ハウジング、３０：リフレクタ、４０：ブラケット、４１：第１支持部、５０：第１コネクタ、６０：第２コネクタ、７０：第３コネクタ、８０：アクチュエータ、９１：第１バスバー、９２：第２バスバー、９３：第３バスバー、Ｂ：ハウジングの装着方向、Ｃ：方向Ｂと交差する方向
【図１】
2015050102.tif 000003
【図２】
2015050102.tif 000004
【図３】
2015050102.tif 000005
【図４】
2015050102.tif 000006